(57)【要約】【課題】極めて簡単な構成でありながら、小さなスペースを有効に活用して即席の商品棚を形成でき、缶を安定して載置できるだけでなく、美しい外観を保って消費者の購買意欲を高め、かつ、不要時には重ね合わせて小さく保管できる缶用トレイを提供する。【解決手段】複数の缶２を縦横に並べた状態でこれらを載置する底面部３と、この底面部３に連接され縦方向と横方向の両側面に立設させた壁面部４と、この壁面部４の四隅の上端に連接すると共に壁面部４の厚さの半分以下の厚さを有する縁部５と、この縁部５に対応する壁面部４の下端に連接すると共に壁面部４の厚さの半分以下の厚さを有し、かつ、縁部５と重なるように配置された袖部６とを備える。【選択図】図４
0003195346.tif 000002
【実用新案登録請求の範囲】
【請求項１】
複数の缶を縦横に並べた状態でこれらを載置する底面部と、
この底面部に連接され縦方向と横方向の両側面に立設させた壁面部と、
この壁面部の四隅の上端に連接すると共に壁面部の厚さの半分以下の厚さを有する縁部と、
この縁部に対応する壁面部の下端に連接すると共に壁面部の厚さの半分以下の厚さを有し、かつ、縁部と重なるように配置された袖部とを備えることを特徴とする缶用トレイ。
【請求項２】
前記壁面部の縦方向の内面間距離は缶の直径の５倍＋（０〜６）ｍｍに形成されており、かつ、壁面部の横方向の内面間距離は缶の直径の６倍＋（０〜１１）ｍｍに形成されている請求項１に記載の缶用トレイ。
【請求項３】
前記壁面部の内側面間の距離は前記缶を縦横に並べた状態で梱包した段ボール箱を収容可能に形成されており、かつ、壁面部と底面部との接合部には缶を密に縦横に並べた状態で載置可能な最小幅より僅かに大きい内面間距離を有するガタツキ防止段部が形成されている請求項１または請求項２に記載の缶用トレイ。
【請求項４】
前記底面部は一辺が缶の直径とほぼ同じ長さの正方形を多数形成する格子状でかつ格子の交点が缶の中心となるように配置された筋と、格子を補強するようにその交点間を斜めに連結する斜め補強筋と、横方向に配置される筋の間に平行するように配置される横補強筋とを備える請求項１〜請求項３の何れか１項に記載の缶用トレイ。
【請求項５】
硬質の合成樹脂の一体成型によって形成されたものである請求項１〜請求項４の何れかに記載の缶用トレイ。
【請求項６】
前記壁面部の外壁面に商品を紹介する商品宣伝部を形成してある請求項１〜請求項５の何れかに記載の缶用トレイ。
【考案の詳細な説明】
【技術分野】
【０００１】
本考案は、缶用トレイに関するものであり、より詳細には、飲料品などの缶を段ボールケースに入れられた状態、６缶パックにしている状態、一列に並べてパックにしている状態および独立した缶を縦横に並べた状態の何れにおいても搭載可能な缶用トレイに関するものである。
【背景技術】
【０００２】
従来より、飲用などの缶を販売するために陳列する場合、縦横に並べた缶を何段も積み上げた状態で直に配置することにより、商品展示を容易とすることが行なわれている。
【０００３】
図１３は従来の缶の展示状態を説明する図である。９０は飲料の缶であり、９１はこの缶９０を縦横に並べた状態で収納した段ボール箱、９２はこの段ボール箱９１をおくためのコンクリートブロック、９３は段ボール箱９１に取付けられたポップである。
【０００４】
このように缶９０を展示することにより、限られたスペースを用いて缶９０の販売スペースを確保することができ、缶９０を棚に展開する手間を省くことができるという利点がある。
【先行技術文献】
【特許文献】
【０００５】
【特許文献１】特開平０８−１１９２６７号公報
【考案の概要】
【考案が解決しようとする課題】
【０００６】
しかしながら、上述のように缶９０を展示する場合には、水分で容易に劣化する段ボール箱９１が直に床に接することがないようにスペーサとして機能するためのコンクリートブロック９２のような足場を形成する必要があった。また、段ボール箱９１の上に載置された缶９０が簡単に転落し、商品価値を失う恐れがあるという問題もあった。加えて、商品展示スペースがあまりにも殺風景であるため購買意欲を高めるためのポップ９３を別途形成する必要があった。
【０００７】
他方、特許文献１には段ボールではなく合成樹脂からなり、缶を収容していないときには展開して板状にしたり、折り畳んだりできる缶用運搬容器が記載されており、このような缶用運搬容器を用いることにより衛生面での問題を解決できる。しかしながら容器が段ボールに比べて大きくならざるを得ず、販売が進むにつれて缶を収容しなくなった容器が邪魔になるという問題が発生する。
【０００８】
本考案は上述の事柄を考慮に入れてなされたものであり、極めて簡単な構成でありながら、小さなスペースを有効に活用して即席の商品棚を形成でき、缶を安定して載置できるだけでなく、美しい外観を保って消費者の購買意欲を高め、かつ、不要時には重ね合わせて小さく保管できる缶用トレイを提供することを課題とする。
【課題を解決するための手段】
【０００９】
前記課題を解決するため、本考案は、複数の缶を縦横に並べた状態でこれらを載置する底面部と、この底面部に連接され縦方向と横方向の両側面に立設させた壁面部と、この壁面部の四隅の上端に連接すると共に壁面部の厚さの半分以下の厚さを有する縁部と、この縁部に対応する壁面部の下端に連接すると共に壁面部の厚さの半分以下の厚さを有し、かつ、縁部と重なるように配置された袖部とを備えることを特徴とする缶用トレイを提供する（請求項１）。
【００１０】
前記構成の缶用トレイは、複数の缶を縦横に並べた状態で底面部に載置でき、この缶の縦横両側面に壁面部が立設するので、缶の飛び出しや転落を防ぐことができる。壁面部は缶の転倒を防ぐことができる程度の高さを有することが好ましい。前記縁部が壁面部の上端に連接するので、それだけ缶の支持をより確実に行なうことができる。
【００１１】
前記袖部は壁面部の下端に連接するので底面部を床面から浮かせた位置に保持することができ、従来のようにコンクリートブロックなどを用いることなく、衛生的な設置を可能とする。また、袖部と縁部が重なるように配置されているので、未使用の缶用トレイを重ねて配置することができ、重ねた缶用トレイを用いて商品を展示する高さを調節することも可能である。
【００１２】
前記壁面部の縦方向の内面間距離は缶の直径の５倍＋（０〜６）ｍｍに形成されており、かつ、壁面部の横方向の内面間距離は缶の直径の６倍＋（０〜１１）ｍｍに形成されている場合（請求項２）には、缶を縦横に６×５個密に並べて配置した状態で壁面部が缶の側面を支持できるので、缶の安定化に寄与する。なお、前記壁面部内の距離は缶の直径の倍数だけ離れていることにより、密に並べた缶の側面に当接するように壁面部を配置できる。
【００１３】
壁面部内の距離が缶の直径の倍数に加えて例えば６ｍｍ大きく形成されている場合は、缶の両側部に厚さの３ｍｍ弱の段ボールをそれぞれ１枚配置でき、缶の直径の倍数に加えて例えば１１ｍｍ大きく形成されている場合は、厚さ３ｍｍ弱のボール紙をそれぞれ２枚配置できる。つまり、縦横に５×６個密に並べて配置した状態で段ボール内に収容した状態で段ボール箱ごと壁面部内に載置できる。
【００１４】
本考案の缶用トレイは、前記５×６個の缶を縦横に並べて梱包した段ボール箱のみならず、２×３個の缶を縦横に並べて梱包した６缶パック、５個の缶を一列に並べて熱収縮フィルムによって連結した５缶シュリンクパック、および、個々の缶をバラバラに並べたものの何れであっても搭載できる。
【００１５】
前記壁面部の内側面間の距離は前記缶を縦横に並べた状態で梱包した段ボール箱を収容可能に形成されており、かつ、壁面部と底面部との接合部には缶を密に縦横に並べた状態で載置可能な最小幅より僅かに大きい内面間距離を有するガタツキ防止段部が形成されている場合（請求項３）には、壁面部内の距離が段ボールをガタツキなく収容可能に形成されていても、ガタツキ防止段部の内面間距離は缶を密に並べた状態で載置可能な最小幅より僅かに大きいので、このガタツキ防止段部によって缶を安定して支持できる。
【００１６】
なお、ガタツキ防止段部の底面部からの高さは缶の底から太さが安定するまでの高さより高くなるように形成されていることが好ましい。
【００１７】
前記底面部は一辺が缶の直径とほぼ同じ長さの正方形を多数形成する格子状でかつ格子の交点が缶の中心となるように配置された筋と、格子を補強するようにその交点間を斜めに連結する斜め補強筋と、横方向に配置される筋の間に平行するように配置される横補強筋とを備える場合（請求項４）には、底面部に多数の貫通部を形成できるので、通気性がよく、万一雨などに濡れることがあったとしても水の溜りが発生することがない。加えて底面部を軽量化することができ、缶用トレイの製造コストを引き下げることもできる。
【００１８】
また、筋の交点が缶の中心となるように配置されているので、筋に対して缶の荷重が均等にかかるため、筋は荷重に十分に耐えることができる。さらに、斜め補強筋と横補強筋によってさらに荷重を分散することにより、強度をより引き上げることができる。
【００１９】
硬質の合成樹脂の一体成型によって形成されたものである場合（請求項５）には、缶用トレイの製造コストを可及的に引き下げることができる。缶用トレイを構成する合成樹脂は例えば軽量で高い強度を有するポリプロピレンであることが好ましい。
【００２０】
前記壁面部の外壁面に商品を紹介する商品宣伝部を形成してある場合（請求項６）には、缶用トレイを用いて宣伝を行うことができるので、缶用トレイを配置するだけで別の広告を形成する必要がない。
【考案の効果】
【００２１】
前述したように、本考案によれば、缶用トレイを載置するスペースさえあれば、缶の販売を行うことができる。缶用トレイはその裾部によって床面に接触するので床面から離れた位置に底面部を配置し、その上に商品の缶を縦横に並べた状態で載置することができる。
【００２２】
缶は段ボール箱に梱包されたものであっても、一列に並べた状態で熱収縮シートを用いて梱包されたものであっても、６缶を１パックにまとめたものであっても、個々の缶をバラバラに配置したものであってもよい。
【００２３】
ガタツキ防止段部を壁面部と底面部の接合部に設けることにより、底面部に載置した缶の安定化を図ることができる。また、底面部を筋によって形成することにより、軽量化を行い、通気性を向上できる。なお、缶用トレイが合成樹脂からなることにより更なる軽量化を達成できる。加えて、壁面部に設けた商品宣伝部によって缶の宣伝を兼ねることができる。
【図面の簡単な説明】
【００２４】
【図１】本考案の実施形態に係る缶用トレイの側面図である。
【図２】前記缶用トレイの断面図である。
【図３】前記缶用トレイの平面図である。
【図４】前記缶用トレイに缶を載置した状態を示す図である。
【図５】前記缶用トレイに缶を載置した状態を示す別の図である。
【図６】前記缶用トレイに段ボールに梱包された缶を載置した状態を示す図である。
【図７】前記缶用トレイを用いた缶の展示例を示す斜視図である。
【図８】前記缶用トレイを重ねた状態を示す断面図である。
【図９】５個の缶を一列にまとめて梱包した５管シュリンクの例を示す図である。
【図１０】６個の缶をまとめて梱包した６缶パックの例を示す図である。
【図１１】前記缶用トレイを用いた缶の別の展示例を示す斜視図である。
【図１２】前記缶用トレイを用いた缶の別の展示例を示す平面図である。
【図１３】従来の缶の展示状態を説明する図である。
【考案を実施するための形態】
【００２５】
以下、図１〜図６を用いて、本考案の実施形態に係る缶用トレイ１の構成を説明する。
【００２６】
図１〜図６に示す缶用トレイ１は、複数の缶２（図４〜図６のみに図示）を縦横に並べた状態で載置するものであり、図２に示すように缶２を載置する底面部３と、この底面部３に連接され縦方向と横方向の両側面に立設させた壁面部４と、この壁面部４の四隅の上端に連接すると共に壁面部４の厚さの半分以下の厚さを有する縁部５と、この縁部５に対応する壁面部４の下端に連接すると共に壁面部４の厚さの半分以下の厚さ（図２参照）を有し、かつ、縁部５と重なるように配置された袖部６とを備える。
【００２７】
前記缶２は例えば直径約５３ｍｍ、高さ約１０４ｍｍの円筒状の缶であり、内容物としてコーヒー、紅茶、清涼飲料水などの飲料、を収容するものである。前記壁面部４の縦方向の内面間距離Ｙ（図３のみに図示）は２７１ｍｍ、すなわち、缶２の直径の５倍より６ｍｍ大きく形成されており、かつ、壁面部４の横方向の内面間距離Ｘ（図３のみに図示）は３２９ｍｍすなわち缶２の直径の６倍より１１ｍｍ大きく形成されている。すなわち、前記壁面部４の内側面間の距離Ｘ，Ｙは前記缶２を縦横に並べて梱包する厚さ約３ｍｍのボール紙によって形成された段ボール箱７（図６のみに図示）を載置可能に形成されている。
【００２８】
８は前記壁面部４と底面部３との接合部に形成され、缶２を密に縦横に並べた状態で載置可能な最小幅より僅かに大きい内面間距離Ｘ’（図４のみに図示）を有するガタツキ防止段部であり、このガタツキ防止段部８の底面部３からの高さｈ（図４の拡大図参照）は、缶２の底から最大外径となる部分までの距離ｉよりも高くなるように形成している。
【００２９】
図５に示す９は段ボール箱７を水平方向に切り開いて形成されるボール紙による壁面である。すなわち、缶２を展示する際に最上段以外の段ボール箱７は水平方向に切り開いて積み上げることにより、缶用トレイ１の側壁面４よりも高い位置まで缶２を支持して安定感を向上させることができ、かつ、最上段の缶２が売り切れたときには最上段の缶用トレイ１を取り除くことにより、そのまま缶２の販売を続けることができる。
【００３０】
図３に示すように、前記底面部３は一辺が缶２の直径とほぼ同じ長さの正方形を多数形成する格子状でかつ格子の交点Ｏが缶２の中心となるように配置された筋３Ａと、格子を補強するようにその交点間を斜めに連結する斜め補強筋３Ｂと、横方向に配置される筋３Ａの間に平行するように配置される横補強筋３Ｃとを備える。なお、各筋３Ａ〜３Ｃは何れも平面部とその両側に設けたリブとを備え、これによって軽量化と強度確保を実現している。
【００３１】
前記缶用トレイ１はポリプロピレンなどの硬質樹脂を用いて形成されることにより、軽量化と強度確保を実現することができる。
【００３２】
また、前記壁面部４の外側面は例えば１．５°などの僅かな傾斜を付けて末広がりとなるように形成されており。図１に示すように、壁面部４の外側面には缶２を宣伝する文字、メーカ名などのロゴを記載してなる商品宣伝部１０を形成している。
【００３３】
図６に示すように、本実施形態の缶用トレイ１は例えば厚さ３ｍｍ弱のボール紙によって形成され、内部に缶２を梱包してなる段ボール箱７は壁面部４の内側面に段ボール箱７の外側面が当接し、段ボール箱７の底面が前記ガタツキ防止段部８の上面に当接することに、安定して載置される。
【００３４】
図７に示すように、上記構成の缶用トレイ１を用いることにより、缶用トレイ１を床面に載置した上に、缶２を縦横に並べて梱包した段ボール箱７を数段重ねて搭載することができる。すなわち、床面に載置された缶用トレイ１は裾部６によって床面から少し浮かせた状態で段ボール箱７を設置できるので、仮に床面が濡れるようなことがあっても商品を傷めることがない。
【００３５】
また、段ボール箱７の上にさらに缶用トレイ１を搭載してその上に段ボール箱７から取り出した各缶２を並べて配置することができる。すなわち、商品の販売状況に合わせて段ボール箱７を一つ一つ開封し、展示することができる。このとき、本実施形態の缶用トレイ１にはその底面部３（図示されていない）と壁面部４との接続部にガタツキ防止段部８が形成されているので、縦横に密に並べて密着させた缶２を安定させることができる。
【００３６】
これら縦横に並べられた缶２の上には、さらに缶用トレイ１が搭載され、さらにその缶用トレイ１の上に段ボール箱７から取り出した缶２を並べて配置することができる。すなわち、本考案の缶用トレイ１を用いることにより段ボール箱７を一個置くことができる程度の狭い販売スペースであっても、安定して多数の缶２を縦横に並べて配置することができる。
【００３７】
缶用トレイ１の壁面部４には商標等を印刷するなどして商品を宣伝する商品宣伝部１０が形成されているので、この缶用トレイ１を配置するだけで商品を適正に宣伝できる。なお、複数の缶用トレイ１を用いることにより、これに記載された商品宣伝部１０は強調され、また、商品宣伝部１０が揃っているので美しく飾りながら宣伝することができる。
【００３８】
さらに、図８に示すように、本考案の缶用トレイ１は上下に複数段重ねて配置することが可能である。すなわち、下方に位置する缶用トレイ１の縁部５が上方に位置する袖部６に嵌合することにより、上下に組み合わされた缶用トレイ１は強固に組み合わされ、そのスペースを小さくすることができるだけでなく、複数団の缶用トレイ１を組み合わすことにより、缶２の展示高さを微調整することも可能となる。
【００３９】
なお、上述の例では個々の缶２がバラバラに缶用トレイ１上に搭載される例を示しているが、本校案は缶２が個別に搭載される場合のみならず、段ボール箱７に梱包された状態でも搭載することができる。加えて、缶２を薄いフィルムや紙でパッキングした状態であっても載置可能である。
【００４０】
すなわち、図９に示すように、５個の缶２を一列に並べた状態で、全体を熱収縮フィルム１１によってパッキングした、５缶シュリンク２０と呼ばれるパックにすることがある。
【００４１】
あるいは、図１０に示すように、６個の缶２を２列３行に並べた状態で、全体を厚紙などによって形成した包装紙２１によって包装した、６缶パックと呼ばれるパック２２にすることもある。
【００４２】
図１１は５缶シュリンク２０の状態で缶用トレイ１に載置した場合の例を示す図である。５缶シュリンク２０の状態では缶２同士が連結しているので、より安定して商品を展示することができる。
【００４３】
図１２は６缶パック２２の缶２を縦横に並べて缶用トレイ１上に配置した状態を示す図である。図１２のように６缶パック２２の方向を変えることにより、缶用トレイ１内に隙間なく６缶パック２２を配置可能であり、これによって安定感が向上する。
【符号の説明】
【００４４】
１  缶用トレイ
２  缶
３  底面部
３Ａ  筋
３Ｂ  斜め補強筋
３Ｃ  横補強筋
４  壁面部
５  縁部
６  裾部
７  段ボール箱
８  ガタツキ防止段部
１０  商品宣伝部
【図１】
0003195346.tif 000003
【図２】
0003195346.tif 000004
【図３】
0003195346.tif 000005
【図４】
0003195346.tif 000006
【図５】
0003195346.tif 000007
【図６】
0003195346.tif 000008
【図７】
0003195346.tif 000009
【図８】
0003195346.tif 000010
【図９】
0003195346.tif 000011
【図１０】
0003195346.tif 000012
【図１１】
0003195346.tif 000013
【図１２】
0003195346.tif 000014
【図１３】
0003195346.tif 000015